(57)【要約】  本発明は、トップシート、バックシート、吸収性コア、及び経血又は糞便の皮膚への付着を軽減し、これによって、経血又は排便（ＢＭ）の片付けの容易さを向上させる親水性ローションを含む、着用者によって着用される吸収性物品を対象とし、吸収性物品は、尿などの液体の漏れを軽減する、ハイバリアを提供する１つ以上のカフを更に含む。好ましい吸収性物品は、トレーニングパンツを含む幼児（乳児）用おむつ、成人失禁用物品などである。【特許請求の範囲】
【請求項１】
バックシート、トップシート、吸収性コア、１つ以上のカフ、及びローションを含む、着用者によって着用される吸収性物品であって、前記ローションは、少なくとも４０％の水溶性を有する親水性ローションであり、前記１つ以上のカフは、カフ材料を含み、前記カフ又は前記カフ材料は、少なくとも３ｋＰａ（３０ｍｂａｒ）の静水頭部、及び／又は少なくとも６００秒の裏抜け時間を有する、吸収性物品。
【請求項２】
前記１つ以上のカフが、１つ以上の不織布ウェブを含み、各ウェブは１つ以上の層を含み、前記ローションは、２５℃で液体である第１構成成分、及び２５℃で固体である第２構成成分を含む、請求項１に記載の吸収性物品。
【請求項３】
バックシート、トップシート、吸収性コア、１つ以上のカフ、及びローションを含む、着用者によって着用される吸収性物品であって、前記ローションは、２５℃で液体である第１構成成分、及び２５℃で固体である第２構成成分を含み、前記第１構成成分は、
（ａ）液体ポリエチレングリコール、又は誘導体と、
（ｂ）液体ポリプロピルグリコール、又は誘導体と、
（ｃ）少なくとも１つの脂肪酸単位、及び少なくとも１つのエチレングリコール単位を含む、液体脂肪酸エステルと、
からなる群から選択される１つ以上の化合物を含み、
前記第２構成成分は、
（ｄ）固体ポリエチレングリコール、固体ポリプロピレングリコール、又はいずれかの末端保護、若しくはエーテル誘導体と、
（ｅ）少なくとも１０のＨＬＢ値を有する、固体非イオン性界面活性剤と、
（ｆ）固体脂肪酸、固体脂肪石鹸、及び固体脂肪アルコールからなる群から選択される、固体脂肪族化合物と、
（ｇ）エトキシル化天然油脂、又はプロポキシル化天然油脂、例えばＰＥＧ−１５０ホホバと、
からなる群から選択される１つ以上の化合物を含み、
前記１つ以上のカフは、それぞれ１つ以上の不織布層を含む、１つ以上の不織布ウェブを含み、前記少なくとも１つの不織布ウェブは、
ｉ）少なくとも１９ｇ／ｍ２の坪量を有するか、又は
ｉｉ）少なくとも４つの層を含むか
のいずれかである、吸収性物品。
【請求項４】
前記カフが、カフ材料を含み、前記カフ又は前記カフ材料が、少なくとも３．５ｋＰａ（３５ｍｂａｒ）の静水頭部、及び／又は少なくとも１０００秒の裏抜け時間を有する、請求項１〜３の一項以上に記載の吸収性物品。
【請求項５】
前記ローションが、少なくとも２０重量％の前記第１構成成分、又は少なくとも２０重量％の前記第２構成成分を含み、前記１つ以上のカフは、それぞれ少なくとも１つの不織布ウェブを含み、そのうちの少なくとも１つがスパンボンド不織布層であり、少なくとも１つがメルトブローン、又はナノ繊維不織布層である、請求項１〜４の一項以上に記載の吸収性物品。
【請求項６】
前記ローションが、前記トップシートに適用される、請求項１〜５の一項以上に記載の吸収性物品。
【請求項７】
前記ローションが、少なくとも１ｇｓｍの量で適用され、前記カフ又は不織布層は、シリコーンポリマー及びフッ素化ポリマー、又はこれらの組み合わせからなる群から選択される、少なくとも１つの障壁剤のコーティングを含む、請求項１〜６の一項以上に記載の吸収性物品。
【請求項８】
前記不織布ウェブが、少なくとも１９ｇ／ｍ２の坪量を有し、少なくとも５ｇ／ｍ２のスパンボンド繊維を含み、少なくとも２ｇ／ｍ２のメルトブローン繊維、及び／又は少なくとも２ｇ／ｍ２のナノ繊維を更に含む、請求項１〜７の一項以上に記載の吸収性物品。
【請求項９】
前記カフが、２つのスパンボンド（Ｓ）及び３つのメルトブローン（Ｍ）不織布層を含み、これらの層の順序はＳＭＭＭＳである、請求項１〜８の一項以上に記載の吸収性物品。
【請求項１０】
前記吸収性物品が、失禁用物品、おむつ、又はパンツ様おむつである、請求項１〜９の一項以上に記載の吸収性物品。
【発明の詳細な説明】
【技術分野】
【０００１】
本発明は、トップシート、バックシート、吸収性コア、及び、経血又は糞便の皮膚への付着を軽減し、これによって、経血又は排便（ＢＭ）の片付けの容易さを向上する親水性ローションを含む、着用者によって着用される吸収性物品を対象とし、吸収性物品は、尿などの液体の漏れを軽減する、ハイバリアを提供する１つ以上のバリアカフを更に含む。好ましい吸収性物品は、トレーニングパンツを含む幼児（乳児）用おむつ、成人失禁用物品などである。
【背景技術】
【０００２】
ローションを含むトップシートを有するおむつ及び生理用ナプキンなどの使い捨て吸収性物品は、着用者の皮膚に皮膚効果をもたらすこと、及び時には排泄物又は経血の皮膚からの除去を改善することが既知である。ここ数年、その焦点は、例えば、植物成分又は薬剤成分をローションに添加するなど、皮膚への更なる効果を提供するローションを、生理用ナプキン及びおむつに供給することであった。様々な種類のローションは、おむつかぶれの予防又は治療のような、様々な皮膚への効果をもたらすことが既知である。これらのローションは、吸収性物品のトップシートに適用することができ、使用中に着用者の皮膚に移動することができる。吸収性物品のトップシートへのローションの添加はまた、皮膚上の排便をより簡単に片付けられるといった効果をもたらすことが既知である。
【０００３】
米国特許第５，９６８，０２５号（ロー（Roe）ら）、国際公開第９７／０５９０８号、同第９７／０５９０９号、及び米国特許出願第２００６／１４０９２４号は、ＢＭの皮膚への付着を軽減するためのローション付きトップシートを有する吸収性物品を記載し、ここでローション組成物は主として疎水性である。米国特許第３，４８９，１４８号（ダンカン（Duncan）ら）は、疎水性及び疎油性トップシートを備えたおむつを教示しており、前記トップシートの一部分を油性材料の不連続フィルムによりコーティングする。しかしながら、ダンカン（Duncan）らの参考文献に開示されているおむつ、及び疎水性ローションで処理された他のおむつでは、疎水性及び疎油性トップシートが、下部の吸収性コアへの尿の移動を促進することが比較的に遅い。ＢＭ及び経血の粘度は尿の粘度より高いため、吸収性コアへの遅い移動という問題は、更に深刻である。それ故に、より多くの経血が用品内に浸入及び残留し、かつ着用者の皮膚又は体毛上ではより少なくなるように、改善された流体処理機能を備えた、おむつ及び生理用品などの吸収性物品に対する継続的な必要性が存在する。国際公開第０５／０３５０１３号、同第００／６４５００号、同第００／６４５０１号、米国特許出願第２００２−１２０２４１号、及び米国特許第６，７５６，５２０号は、皮膚の磨耗の軽減のため、皮膚の健康の改善のため、皮膚のバリア機能の向上のため、並びに皮膚の炎症の防止及び緩和のための、湿潤又は潤滑の改善など、様々な用途のための親水性ローション組成物を有する吸収性物品を記載する。
【０００４】
これら全ての効果にもかかわらず、多くの場合、親水性のローションが、おむつなどの吸収性物品に使用されるときに漏れの増加が観察される。理論に束縛されるものではないが、漏れの増加に対して考えられる理由は、ローションとの接触の後に、おむつの場合は尿である流体の表面張力が低減し、吸収性物品を濡らすことであり得る。更に、おむつの着用中、親水性ローションは、例えばトップシートから着用者の皮膚へ、次に皮膚からカフへと移動し得るものと考えられる。ローション成分の、カフへの移動の別の理由は、これが、例えばトップシートから、尿などの液体によって、流される場合がある。これらのカフへのローションの混入は、次に、尿の表面張力の低減、又は親水性ローションの存在によるカフの濡れのいずれかにより、結果的により低い流体障壁を生じ得る。特に、界面活性物質が、このような親水性ローション中に存在する場合に、体液、例えば尿の、表面張力の低減が観察され得る。一方で容易なＢＭの片付け、他方で可能な限り少ない漏れ、という双方の特徴が、吸収性物品の利便性にとって重要であるため、これら双方の効果を有する吸収性物品を提供する必要性が生じる。
【先行技術文献】
【特許文献】
【０００５】
【特許文献１】米国特許第５，９６８，０２５号
【特許文献２】国際公開第９７／０５９０８号
【特許文献３】国際公開第９７／０５９０９号
【特許文献４】米国特許出願第２００６／１４０９２４号
【特許文献５】米国特許第３，４８９，１４８号
【特許文献６】国際公開第０５／０３５０１３号
【特許文献７】国際公開第００／６４５００号
【特許文献８】国際公開第００／６４５０１号
【特許文献９】米国特許出願第２００２−１２０２４１号
【特許文献１０】米国特許第６，７５６，５２０号
【発明の概要】
【発明が解決しようとする課題】
【０００６】
経血又は糞便の皮膚への付着を軽減し、これによって経血又は排便（ＢＭ）の片付けの容易さを向上させること、及び尿などの液体の漏れの傾向を低減することなどの、親水性ローションの使用の効果を有する吸収性物品を提供することが、本発明の目的である。
【０００７】
吸収性物品において、本明細書で記載されるハイバリアカフを、本明細書で記載される親水性ローションと組み合わせて使用することによって、ローションが、効果的な量で適用され得、漏れが低減されることが、今、発明者らによって見出された。
【課題を解決するための手段】
【０００８】
本発明は、バックシート、トップシート、吸収性コア、１つ以上のカフ、及びローションを含む、着用者によって着用される吸収性物品に関し、このローションは、少なくとも４０％、又は少なくとも５０％、又は少なくとも６０％、又は少なくとも７０％の水溶性を有する、親水性ローションである。１つ以上のカフが、少なくとも３ｋＰａ（３０ｍｂａｒ）の静水頭部、及び／若しくは少なくとも６００秒の裏抜け時間を有するか、又はカフは、この静水頭部及び／若しくは裏抜け値を有する材料を含む。本発明は、更に、バックシート、トップシート、吸収性コア、１つ以上のカフ、及びローションを含む、着用者によって着用される吸収性物品に関し、このローションは、２５℃で液体である第１構成成分、及び２５℃で固体である第２構成成分を含み、この第１の構成成分は、
（ａ）液体ポリエチレングリコール、液体ポリプロピレングリコール、又はいずれかの液体誘導体、例えば、エーテル若しくはエステル誘導体（末端保護誘導体を含む）と、
（ｂ）液体、多価アルコール溶媒と、
（ｃ）少なくとも１つの脂肪酸単位、及び少なくとも１つのエチレングリコール単位を含む、液体脂肪酸エステルと、
からなる群から選択される１つ以上の化合物を含み、
この第２構成成分は、
（ｄ）固体ポリエチレングリコール、固体ポリプロピレングリコール、又はいずれかの固体誘導体、例えばエーテル又はエステル誘導体（末端保護誘導体を含む）と、
（ｅ）少なくとも１０のＨＬＢ値を有する、固体非イオン性界面活性剤と、
（ｆ）固体脂肪酸、固体脂肪酸石鹸、及び固体脂肪アルコールからなる群から選択される固体脂肪化合物と、
（ｇ）エトキシル化天然油脂、又はプロポキシル化天然油脂、例えばＰＥＧ−１５０ホホバと、
からなる群から選択される１つ以上の化合物を含み、
この１つ以上のカフは、それぞれ１つ以上の不織布層を含む、１つ以上の不織布ウェブを含み、この少なくとも１つの不織布ウェブは、
ａ）少なくとも約１９ｇ／ｍ２の坪量を有するか、又は
ｂ）少なくとも４つの層を含むか
のいずれかである。
【発明を実施するための形態】
【０００９】
本明細書で使用するとき、次の用語は次の意味を有する。
【００１０】
本明細書において、「備える」及び「含む」とは、最終結果に影響しない他の要素及び／又は他の工程を加えることができることを意味する。これらの用語の各々は、「からなる」及び「から本質的になる」という用語を包含する。
【００１１】
本明細書において、「身体に面する表面」は、吸収性物品及び／又はその構成要素材料の、着用者の身体に向いている表面を指し、一方「衣類に面する表面」は、吸収性物品が着用されたときに着用者から離れる方向に向いている、吸収性物品及び／又はその構成要素材料の反対側の表面を指す。吸収性物品、並びにトップシート、バックシート、吸収性コア、及びこれらの構成要素材料の任意の個々の層を包含する、その構成要素は、典型的には、身体に面する表面と衣類に面する表面とを有する。
【００１２】
本明細書において、「身体」とは、皮膚及び毛髪を包含する哺乳類の表皮組織により形成される外層を意味する。身体の特徴は、状況、年齢、性別、及び個々の性質により劇的に異なる傾向がある。例えば、新生児及び幼児の皮膚は、大人の皮膚とは異なり、毛髪を有する皮膚は、毛髪のない皮膚とは異なる。
【００１３】
本明細書で使用するとき、「吸収性物品」とは、身体から排出される様々な滲出物を吸収及び収容するために着用者の皮膚に対して設置することが意図される装置を指す。本発明の吸収性物品は、おむつ、パンツ様おむつ及び失禁用物品、並びに女性用衛生物品を含む。
【００１４】
本明細書で使用するとき「おむつ」とは、幼児（例えば、幼児、又はよちよち歩きの幼児）により、着用者の下部胴体の周囲で一般的に着用される吸収性物品を指す。好適なおむつは、例えば米国特許第３，８６０，００３号（ブエル（Buell）へ１９７５年１月１４日発行）、米国特許第５，１５１，０９２号（ブエル（Buell）らへ１９９２年９月２９日発行）、米国特許第５，２２１，２７４号（ブエル（Buell）らへ１９９３年６月２２日発行）、及び米国特許第５，５５４，１４５号（ロー（Roe）らへ１９９６年９月１０日発行）に開示されている。本明細書で使用するとき、用語「おむつ」はまた、「パンツ様おむつ」を含み、パンツ様おむつは、固定された側部、及び脚部開口部を有する吸収性物品を指す。パンツ様おむつは、着用者の脚を脚部開口部に挿入し、パンツ様おむつを着用者の下部胴体の周囲の位置に滑らせることによって、着用者上の所定位置に設置される。好適なパンツ様おむつは、例えば、米国特許第５，２４６，４３３号（ハッセ（Hasse）らへ１９９３年９月２１日発行）に開示されている。
【００１５】
本明細書で使用するとき、「失禁用物品」とは、着用者の下部胴体の周囲で着用される吸収性物品、パッド、下着、吸収性物品用の挿入物、吸収性物品用の吸収能力向上物、ブリーフ、ベッドパッド、及び典型的には成人である失禁症状のある人々によって着用される同様のものを指す。好適な失禁用物品は、例えば、米国特許第４，２５３，４６１号（ストリックランド（Strickland）ら、１９８１年３月３日発行）、米国特許第４，５９７，７６０号及び同第４，５９７，７６１号（ブエル（Buell）に発行）、上記の米国特許第４，７０４，１１５号、米国特許第４，９０９，８０２号（アール（Ahr）らに発行）、米国特許第４，９６４，８６０号（ギプソン（Gipson）ら、１９９０年１０月２３日発行）、並びにＰＣＴ国際公開特許第９２／１１８３０号（ノエル（Noel）ら、１９９２年７月２３日公開）に開示されている。
【００１６】
本明細書で使用するとき「使い捨て」とは、一回の使用後、洗濯する、修復する、ないしは別の方法で吸収性物品として再利用することを意図しない、一回使用の吸収性物品を記載するために使用される。
【００１７】
本明細書で使用するとき、「接合した」という用語は、ある要素を他の要素に直接固着することによって、ある要素を別の要素に直接固定する構成、ある要素を中間部材に固着し、次にその中間部材を他の要素に固着することによって、ある要素を他の要素に間接的に固定する構成、及びある要素が別の要素と一体化している構成、即ちある要素が他の要素の本質的に一部分である構成を包含する。
【００１８】
本明細書で使用するとき、用語「長手方向」は、吸収性物品が着用されるとき、立位の着用者の体を左半分と右半分に二分する垂直平面とほぼ整列する（例えば、ほぼ平行になる）、吸収性物品の平面における線、軸又は方向を意味する。本明細書で使用される用語「横断方向」又は「横方向」は、互いに換言可能であり、長手方向に対してほぼ垂直である吸収性物品の平面内に位置する線、軸又は方向を意味する。
【００１９】
本明細書で使用するとき、用語「移行する」、「移行」、又は「移行している」は、ローション組成物が、材料の上を動く又は間に存在する材料を通って浸透することにより、一つの場所から別の場所へ動くことを意味する。
【００２０】
ローション組成物との関連において本明細書で使用する場合、用語「移動」は、ローション組成物が、移行によるのではなく、拭い取り効果によるなど、ローション組成物との直接的接触により、吸収性物品の一領域から、着用者の皮膚、又は吸収性物品上の別の領域に動くことを指す。
【００２１】
本明細書で使用するとき、吸収性物品の表面、例えばトップシートなどに「適用する」とは、この表面、例えばトップシートが、ローション組成物の少なくとも部分的な層を、その表面の１つの少なくとも一部分上に含み、それによって、ローション組成物の少なくとも一部分が、使用中に着用者の皮膚と接触し得ることを意味する。皮膚との接触を可能にするため、典型的にはトップシートの身体に面する表面は、コーティングされる。ローション組成物はまた、表面に部分的に、又は完全に浸透してもよく、これが適用されるそれぞれの吸収性物品構成要素、例えばトップシートに浸透してもよい。
【００２２】
本明細書で示されるあらゆる分子量の単位は、ダルトンである。
【００２３】
本明細書で使用するとき、用語「粒子状物質」とは、本ローション組成物を本吸収性物品に適用する前に、ローション組成物において、不溶性又は非分子的に分散性又は生物学的に反応しない、また吸収性物品に適用されたとき、粒子状のままである、ローション組成物の構成成分を意味する。これは、当該技術分野において既知であるように、顆粒、ビーズ、球体、微小球、粉末など、全ての種類の粒子状形態を含む。
【００２４】
用語「付着の軽減」及び「固着防止」は、同義的に用いられる。これは、固着防止ローション組成物を含まない物品と比較した場合に、より少ない残留排便が皮膚上に留まることを意味する。
【００２５】
本明細書において、用語「糞便」及び「排便」、「ＢＭ」は、交換可能に使用される。
【００２６】
本発明のローション組成物
本発明のローション組成物は、少なくとも４０％（本明細書において記載される方法によって測定される）の水溶性を有する、親水性ローションである。
【００２７】
ローション組成物は、好ましくは、好適な処理条件、例えば、５０℃超、又は６０℃超、又は８０℃超、又は任意に１００℃超において、流動性を有する（例えば、液体）が、２５℃の温度において、固体又は半固体である。
【００２８】
本明細書のローション組成物は、追加的なスキンケア効果を提供し得るローション組成物であることが好ましい。本発明のローション組成物は、典型的には、２５℃において、即ち室温において、流体ではなく、即ち、固体、又はより多くの場合において半固体であり、ローション組成物の移行を極小化する。「半固体」とは、ローション組成物が、擬塑性又は塑性流体に典型的なレオロジーを有することを意味する。剪断力が適用されない場合、ローション組成物は、固体の外観を有し得るが、剪断速度が増加すると、流動するようになることがある。これは、ローション組成物が、２５℃において固体である構成成分を含有する一方で、これがまた、２５℃において液体である構成成分をも含むという事実による可能性がある。各構成成分は、それ自体が１つ以上の化合物を含み得る。ローション組成物は、４５℃以上であり得る潜在的な「応力のかかる」保存条件を超える、最終融点（９５％を超える液体）を有するのが好ましい。本明細書で使用するとき、半固体とは、１５ｃｍの直径を有する丸いガラスプレートの中央に設置される１ｇの材料が、２５℃、及び５０％の相対湿度の条件下において、ガラスプレートが４５°で傾けられたときに、１分間以内にガラスプレートから流れ落ちないことを意味する。固体又は少なくとも半固体（上記の試験方法による）のいずれかである、あらゆる構成成分又は化合物は、本明細書において、「固体化合物又は固体構成成分」と称される。固体又は少なくとも半固体（上記の試験方法による）ではない、あらゆる構成成分又は化合物は、本明細書において、「液体化合物又は液体構成成分」と称される。
【００２９】
一実施形態では、ローション組成物は、２０℃の試験温度において、約３重量％〜約７５重量％が液体であるようなものである。一実施形態では、本発明によるローションは、２５℃の試験温度において、１０重量％〜８０重量％、又は２０重量％〜７０重量％、又は３０重量％〜６０重量％、又は４０重量％〜５０重量％が液体であるようなものである。３７℃の体温においては、２５％〜７５％、又は更に３０％〜８０％が液体であり得る。一実施形態では、２５℃において、液体化合物の総量は、固体化合物の総量よりも多く、例えば、液体の量は、５０重量％超、又は少なくとも５５重量％、又は少なくとも６０重量％である。吸収性物品に適用された場合、本発明のローション組成物は、通常の接触、着用者の動き（これによって摩擦を生じる）、及び／又は体温により、着用者の皮膚に移動可能である。
【００３０】
ある量のローション組成物が、吸収性物品の身体に面する表面上に含まれる。この量は、ローション組成物を含まない吸収性物品と比較した場合に、糞便又は経血の、吸収性物品を着用する着用者の人肌への付着の軽減に影響すべきである。理論に束縛されるものではないが、ローション組成物は、汚れ又は滲出物と皮膚表面との間の付着力を低減することができ、これは、付着力が汚れ又は滲出物内の凝集力より小さくなり得るためであり、その結果（例えば拭うことにより生成される）剪断力の適用により汚れ又は滲出物が皮膚表面から分離できるようになると考えられる。
【００３１】
典型的には、ローション組成物は、トップシートの少なくとも一部に適用される。本発明による好適な量は、１平方メートル当たり約０．０１５グラム（ｇｓｍ）〜約１００ｇｓｍ、又は１ｇｓｍ〜約８０ｇｓｍ、又は６ｇｓｍ〜５０ｇｓｍ、又は１２ｇｓｍ〜４０ｇｓｍ、又は１６〜３０ｇｓｍであり得る。例えば、約２４ｇｓｍである。
【００３２】
この第１の液体構成成分は、液体ポリエチレングリコールを含んでもよく、この第２の構成成分は、少なくとも約１０のＨＬＢ値を有する固体非イオン性界面活性剤を含んでもよく、又は
この第１の構成成分は、少なくとも１つの脂肪酸単位及び少なくとも１つのエチレングリコール単位を含む液体脂肪酸エステルを含んでもよく、この第２構成成分は、固体ポリエチレングリコールを含んでもよく、又は
この第１構成成分は、液体ポリエチレングリコールを含んでもよく、この第２化合物は、固体脂肪酸、及び固体脂肪石鹸、及び固体脂肪アルコールからなる群から選択される固体脂肪化合物であり、
ここで、この固体非イオン性界面活性剤が、エトキシル化脂肪アルコールである場合、ＨＬＢ値は、少なくとも約１３である。
【００３３】
好ましくは、この固体脂肪化合物が、固体脂肪酸である場合、液体の総量は、固体の総量よりも多い。
【００３４】
好ましくは、第１液体構成成分の総量は、２５℃において、全ローション組成物に基づき、３〜９０重量％、又は２０〜８０重量％、又は３０〜７０重量％であり、固体である第２構成成分の総量は、全ローション組成物に基づき、１０〜９７重量％、又は２０〜８０重量％、又は３０〜７０重量％であり、第１構成成分と第２構成成分との重量比は、１：３２〜９：１、又は１：９〜９：１、又は２：８〜８：２、又は３：７〜７：３である。
【００３５】
好ましくは、ローション組成物は、親水性かつ本質的に非水性である。非水性とは、ローション組成物が、水を含まないか、又は５重量％未満、若しくは更に１重量％未満など、ごく僅かな量でのみ水を含むかのいずれかであることを意味する。しかしながら、これらの量は、吸収性物品が製造されるとき、即ちローション組成物が、吸収性物品に適用されるときまでの、ローション組成物に関する。本発明のローション組成物は、むしろ吸湿性であってもよく、したがって、周囲雰囲気から、特に、高い相対湿度の環境において、有意な量の水分を吸収することが可能であり得る。したがって、吸収性物品が、数ヶ月、又は更に数年など、比較的長期にわたって保管された場合、ローション組成物内に含まれる水の量が、５重量％を超えるまで増加することが可能である。
【００３６】
ローション組成物は、２５℃で液体である第１構成成分、及び２５℃で固体である第２構成成分を含んで、糞便又は経血の人肌への付着を軽減し、この第１構成成分は、
（ａ）液体ポリエチレングリコールと、
（ｂ）液体多価アルコール溶媒と、
（ｃ）少なくとも１つの脂肪酸単位、及び少なくとも１つのエチレングリコール単位を含む、液体脂肪酸エステルと、
からなる群から選択される１つ以上の化合物を含み、
第２構成成分は、
（ｄ）固体ポリエチレングリコールと、
（ｅ）少なくとも１０のＨＬＢ値を有する、固体非イオン性界面活性剤と、
（ｆ）固体脂肪酸、固体脂肪石鹸、及び固体脂肪アルコールからなる群から選択される固体脂肪化合物と、
（ｇ）エトキシル化天然油脂、又はプロポキシル化天然油脂、例えばＰＥＧ−１５０ホホバと、
からなる群から選択される１つ以上の化合物を含む。
【００３７】
一実施形態では、ローション組成物は、２５℃で液体である第１構成成分、及び約２５℃で固体である第２構成成分を含んで、糞便又は経血の人肌への付着を軽減し、第１構成成分は、メトキシイソプロパノール、プロピルエーテル、ジプロピレングリコールブチルエーテル、メチルプロパンジオール、プロピレンカーボネート、水溶性ポリプロピレングリコール、グリセリン、ソルビトール、水素添加デンプン加水分解物、シリコーングリコール、及び液体ＰＥＧ誘導体からなる群から選択される１つ以上の化合物を含み、
第２構成成分は、
（ａ）固体ポリエチレングリコールと、
（ｂ）少なくとも１０のＨＬＢ値を有する、固体非イオン性界面活性剤と、
（ｃ）固体脂肪酸、固体脂肪石鹸、及び固体脂肪アルコールからなる群から選択される固体脂肪化合物と、
（ｄ）エトキシル化天然油脂、又はプロポキシル化天然油脂、例えばＰＥＧ−１５０ホホバと、
からなる群からの１つ以上の構成成分を含む。
【００３８】
一実施形態では、液体構成成分は、１００〜７２０未満、好ましくは３５０〜７００の分子量（重量平均）を有する、ポリエチレングリコールである。ローション組成物が、２０重量％〜８０重量％、又は３０重量％〜７０重量％、又は４０重量％〜６０重量％のこの液体ポリエチレングリコールを含み得ることが好ましいことがある。例えば、５０重量％のポリグリコール４００である。
【００３９】
一実施形態では、固体構成成分は、７２０超、例えば７２０〜１０００００、又は９５０〜３００００の分子量（重量平均）を有するポリエチレングリコールである。ローション組成物が、２０重量％〜８０重量％、又は３０重量％〜７０重量％、又は４０重量％〜６０重量％のこの液体ポリエチレングリコールを含むことが好ましいことがある。例えば、５０重量％のポリグリコール４０００である。
【００４０】
一実施形態では、固体構成成分は、固体非イオン性界面活性剤、好ましくは、一般式Ｒ（ＯＣＨ２ＣＨ２）ｎＯＨを有する固体ポリエチレングリコール脂肪アルコールエーテルであり、式中、Ｒは、例えば８〜３０、又は１２〜２２の炭素原子を有するアルキル基、又はアルキル基のブレンドを示し、ｎは、例えば２〜２００のエトキシル化度を表す。ローション組成物が、２０重量％〜８０重量％、又は３０重量％〜７０重量％、又は４０重量％〜６０重量％のこの液体ポリエチレングリコールを含むことが好ましいことがある。例えば、５０重量％のステアレス−１００である。
【００４１】
ローション組成物は、一実施形態において、本明細書において後に記載される粒子状物質を追加的に含んでもよい。典型的には、粒子状物質は、２５℃において固体である構成成分によって含まれる。
【００４２】
液体多価アルコール溶媒
液体多価アルコール溶媒は、本明細書で使用するとき、少なくとも２つの炭素原子、及び少なくとも２つのアルコールヒドロキシ基を有する有機化合物であり、これらは２５℃で液体であるが、本発明の目的のために、別個の好ましい基として本明細書で後に記載される、ポリエチレングリコール、ポリプロピレングリコール及び誘導体を除く。例としては、グリセロール、エチレングリコール、ジエチレングリコール、プロピレングリコール、ブチレングリコール、ジプロピレングリコール、メチルプロパンジオール、並びに、例えば、上記の末端保護単位を有する、モノ又はジ末端保護ジエチルグリコール、モノ又はジ末端保護ジプロピレングリコール、モノ又はジ末端保護エチレングリコール、及びモノ又はジ末端保護プロピレングリコールを含むこれらの誘導体がある。
【００４３】
本明細書における好ましい液体化合物には、例えば、リポケミカルズ（Lipo Chemicals）社からリポペグ（LIPOPEG）４−Ｌとして入手可能な、ＰＥＧ−８ラウレートなどのエトキシル化脂肪酸；グローバルセブン（Global-Seven）社から、例えばヘトキシド（hetoxide）Ｃ−２５として入手可能なＰＥＧ−２５ヒマシ油などのエトキシル化脂肪エステル（オイル）；例えばクラリアント社（Clariant Corp.）からホスタセリン（Hostacerin）ＤＧＬとして入手可能な、例えばＰＥＧ−１０ポリグリセリル−２ラウレートなどのグリセロールエステル；アメリカンレシチン社（American Lecithin Co.）からアルコレック（Alcolec）ＢＳとして入手可能なレシチン（Lecithin）；例えば、コグニス社（Cognis Corp.）からグルコパン（Glucopan）２２５ＤＫとして入手可能な、Ｃ８〜Ｃ１０アルキル多糖エーテルなどのポリマー界面活性剤；例えば、クローダ（Croda）社から入手可能なＰＯＥ（２０）ソルビタンモノパルミテートなどのソルビタン誘導体；例えば、セピック（seppic）社からシムルソル（Ｓimulsol）ＡＳ４８として入手可能な、アルキルポリグルコシドなどの、スクロース及びグルコースエステル並びに誘導体が挙げられる。
【００４４】
液体ポリエチレングリコール及び誘導体、並びに液体ポリプロピレングリコール及び誘導体
液体ポリエチレングリコール及び誘導体は、２５℃において液体である。ポリエチレングリコール（ＰＥＧ）は、少なくとも３つの単位のエチレングリコールから作製され、一般式ＨＯ−（ＣＨ２−Ｏ−ＣＨ２−Ｏ）ｘ−Ｈを有し、ｘは３〜１５、又は８〜１２の数である。分子量（重量平均）は、１００〜７２０未満、好ましくは１００又は３５０〜７００である。典型的な液体ポリエチレングリコールは、ＰＥＧ−４、ＰＥＧ−６、ＰＥＧ−７、ＰＥＧ−８、ＰＥＧ−９、ＰＥＧ−１０、ＰＥＧ−１２、及びＰＥＧ−１４として既知である。好適な商標製品は、例えば、３８０〜４１０の平均分子量を有する、クラリアント（Clariant）のポリグリコール（Polyglykol）４００、又は５７０〜６３０の平均分子量を有するポリグリコール（Polyglykol）６００である。
【００４５】
液体ＰＥＧ及びＰＰＧ誘導体には、ＰＥＧ及びＰＰＧのエステル及びエーテルが含まれ得る。ＰＥＧ及びＰＰＧの液体誘導体は、特に、ヒドロキシル基と反応することができる有機化合物から誘導される、ＰＥＧ及びＰＰＧの誘導体（例えば上記のもの）であるが、１つ以上の（それぞれ、モノ、又はジ末端保護）末端保護基を有するものが挙げられる。好ましい末端保護基は、メチル、エチル、プロピル、イソプロピル、ブチル、イソブチル、第三級ブチル及びベンジル、例えば、モノメチル−、ジメチル−、又はモノエチル−、ジエチル−末端保護の、ＰＥＧ又はＰＰＧを含む。いくつかの実施形態では、メチルが、好ましい末端保護単位であり得る。
【００４６】
本発明で有用な更なるポリプロピレン及び末端保護単位は、２００７年２月１６日出願の同時係属出願米国特許出願第６０／９０１７９３号に記載されている。
【００４７】
好ましい液体モノ末端保護ＰＥＧは、例えば、ポリエチレングリコールモノメチルエーテルであり、例えば、クラリアント社（Clariant Corporation）からポリグリコール（Polyglykol）Ｍ４００として入手可能である。好ましい液体ＰＥＧはまた、５００の分子量を有するポリエチレングリコールジメチルエーテル（シグマ・アルドリッチ（Sigma Aldrich）から入手可能）を含む。
【００４８】
本明細書において、また有用なものは、液体エチレンオキシド−プロピレンオキシドコポリマー、及びポリエチレン−ポリプロピレンブロックコポリマー（ＥＯ−ＰＯブロックコポリマー）、例えば、クラリアント社（Clariant Corp.）からのゲナポール（Genapol）ＰＦ１０−、ＥＯ−ＰＯブロックコポリマーである。
【００４９】
液体アルキレン（例えば、エチレン）グリコール脂肪酸エステル
好適な液体アルキレン、又は好ましくは、エチレングリコール脂肪酸エステルは、例えば、１つ以上のアルキレングリコール単位、好ましくはエチレングリコール単位、及び１つ又は２つの脂肪酸のエステルである。
【００５０】
好ましい化合物は、一般式、
Ｒ１−（ＯＣＨ２ＣＨ２）ｍＯ−Ｒ２を有し、式中、Ｒ１及びＲ２は、水素、又は例えば６〜３０個若しくは８〜２２個の炭素原子を有する脂肪酸残基であり、同一であっても異なっていてもよいが、ただし、双方が水素であることはなく、ｍは、少なくとも１の数である。好ましくは、Ｒ１及びＲ２は異なっており、ｍは、１、２、又は３である。典型的なエチレングリコールエステルは、例えば、ジエチレングリコールジエチルヘキサノエート／ジイソノナノエート、ジエチレングリコールジイソノナノエート、ジエチレングリコールジラウレート、ジエチレングリコールジオクタノエート／ジイソノナノエート、及びジエチレングリコールジステアレートとして知られる。エチレングリコールエステルを含有する好適な商標製品混合物は、例えばＤＥＲＭＯＬ  ＭＯ又はＤＥＲＭＯＬ  ４８９である。室温（２５℃）で液体であるワックスエステルが好ましい。これは、ドコセニルエイコセノエート、エイコセニルエイコセノエート、及びエイコセニルドコセノエートを含む、ホホバ油などの天然源から誘導され得る。
【００５１】
固体ポリエチレングリコール及びポリプロピレングリコール、並びにこれらの誘導体
固体ポリエチレングリコール、ポリプロピレングリコール、及びこれらの誘導体は、本明細書で定義されるように、２５℃で固体（又は先に定義された、半固体）である。固体のポリエチレングリコールは、典型的には少なくとも１６単位のエチレングリコールから作製され、一般式ＨＯ−（ＣＨ２−Ｏ−ＣＨ２−Ｏ）ｙ−Ｈを有し、ｙは少なくとも１６、例えば２０〜２２０、又は４０〜１５０の数である。分子量（重量平均）は、７２０超、例えば７２０〜１０００００、あるいは９５０、又は１５００、又は２０００、又は２７００〜３００００である。典型的な固体ポリエチレングリコールは、ＰＥＧ−２０、ＰＥＧ−３２、ＰＥＧ−４０、ＰＥＧ−４５、ＰＥＧ−５５、ＰＥＧ−６０、ＰＥＧ−７５、ＰＥＧ−９０、及びＰＥＧ−１００として既知である。好適な商標製品は、例えば、２７００〜３０００の平均分子量を有する、クラリアント（Clariant）のポリグリコール（Polyglykol）３０００、又は３７００〜４５００の平均分子量を有するポリグリコール（Polyglykol）４０００である。
【００５２】
固体ＰＥＧ及びＰＰＧ誘導体は、ＰＥＧ及びＰＰＧのエステル及びエーテル誘導体を含み得る。固体誘導体は、特に、上記のものなどの、１つ以上の末端保護基（それぞれ、モノ、又はジ末端保護）を有するＰＥＧ、及びＰＰＧのもの（例えば上記の）を含む。
【００５３】
例えば、ポリグリコールＭ４０００（クラリアント社（Clariant Corporation）からのポリエチレングリコールモノメチル）などの固体モノ末端保護ＰＥＧが使用されてもよく、及び／又はポリエチレングリコールジメチルエーテルＭＷ２０００（シグマ・アルドリッチ（Sigma Aldrich））などの固体ジ末端保護ＰＥＧが使用されてもよい。
【００５４】
固体ＥＯ−ＰＯコポリマー及びＥＯ−ＰＯブロックコポリマー、例えば、クラリアント社（Clariant Corp）からのゲナポール（Genapol）ＰＦ８０、ＥＯ−ＰＯブロックコポリマーなども、本明細書において有用であり得る。
【００５５】
固体非イオン性界面活性剤
少なくとも１０のＨＬＢ値を有する、好適な固体非イオン性界面活性剤としては、固体ＰＥＧ誘導非イオン性界面活性剤、固体ポリアルキレングリコール脂肪アルコールエーテル、例えば、固体ポリエチレングリコール脂肪アルコールエーテル、又は例えば固体ポリエトキシル化脂肪アルコールが挙げられる。脂肪アルコール単位は、８〜３０個の炭素原子、好ましくは１２〜２２個の炭素原子を有し得る。平均アルコキシル化度、例えばエトキシル化度は、２〜２００、好ましくは少なくとも１０、少なくとも２０、又は少なくとも３０であり得る。好ましくは、これらの界面活性剤は、少なくとも１０、又は少なくとも１２、又は少なくとも１３から例えば１７までのＨＬＢ値を有する、非イオン性界面活性剤である。ポリエチレングリコール脂肪アルコールエーテルは、一般式Ｒ（ＯＣＨ２ＣＨ２）ｎＯＨを有し、式中、Ｒは、例えば８〜３０個、又は１２〜２２個の炭素原子を有するアルキル基、あるいはアルキル基のブレンドを表し、ｎは、エトキシル化度、例えば２〜２００である。好適なＰＥＧ誘導界面活性剤としては、例えば、エボニック・デグサ（Evonik/Degussa）から、テゴアシッド（Tego Acid）Ｓ１００Ｐとして入手可能な、ＰＥＧ−１２ステアレート、ＰＥＧ−１００ステアレートが挙げられる。
【００５６】
好適な商標製品としては、また、例えば、ＢＲＩＪ  ７６、ＢＲＩＪ  ７８、及びＢＲＩＪ  ７００（クローダ（Croda）社から入手可能なステアレス（Steareth）１００）が挙げられる。
【００５７】
他の好ましい界面活性剤としては、セテアレス（Ceteraeth）−１０、セテアレス（Ceteareth）−２０、ポリソルベート（Polysorbate）−６５が挙げられる。ラウレス（Laureth）２３もまた使用され得る。
【００５８】
好適な脂肪アルコール脂肪酸エステルは、Ｃ１０〜Ｃ３０の脂肪酸を有する、Ｃ１０〜Ｃ３０の脂肪アルコールのエステルである。これらは一般式Ｒ３−ＣＯ−Ｏ−Ｒ４を有し、式中、Ｒ３−ＣＯは、Ｃ１０〜Ｃ３０の脂肪酸残基であり、Ｏ−Ｒ４は、Ｃ１０〜Ｃ３０の脂肪アルコール残基である。これらは、飽和でも不飽和でもよい。
【００５９】
他の好適な非イオン性界面活性剤は、例えば、エトキシル化アルコール、エトキシル化脂肪酸、エトキシル化脂肪エステル及びオイル、グリセロールエステル；スクロース及びグルコースエステル、及びこれらの誘導体、グルコシド、ソルビタン誘導体、例えばソルビタンモノプラミテートである。
【００６０】
他の好ましい化合物としては、ＰＥＧ４０硬化ヒマシ油（caster oil）、ＰＥＧ−２０ソルビタンモノオレエート、グローバルセブン（Global- Seven）社から例えばヘトキシド（Hetoxide）Ｃ−２００として入手可能な、ＰＥＧ−２００ヒマシ油などの、ＰＥＧオイル；例えば、アビテック（Abitec）社からカプロール（Caprol）ＰＧＥ８６０として入手可能なデカグリセロールモノ／ジオレエートなどのグリセロールエステル；例えば、アメリカン・レシチン（American Lecithin）社からアルコレック・パウダー（Alcolec Powder）として入手可能なソイホスファチドなどのレシチン誘導体；例えば、リポ・ケミカルズ（Lipo Chemicals）から、リポソルブ（Liposorb）ＴＳ−２０として入手可能なポリソルベート（Polysorbate）６５などの、ソルビタン誘導体；スクロース及びグルコースエステル、並びに誘導体、例えば、ローディア（Rhodia）社からレオザン（Rheozan）として入手可能なサクシノグリカンが挙げられる。
【００６１】
固体脂肪族化合物
固体脂肪族化合物は、脂肪酸、固体脂肪石鹸、及び固体脂肪アルコールからなる群から選択される。固体脂肪族化合物は、２５℃において固体（又は本明細書に記載の方法に従って、少なくとも半固体）である。脂肪族化合物は、好ましくは１０〜３０個、又は１２〜２２個の炭素原子を有する。脂肪族化合物は、飽和又は不飽和であり得、直鎖又は分枝鎖であり得る。飽和直鎖脂肪族化合物が好ましい。固体脂肪酸の例は、デカン酸、ラウリン酸、ミリスチン酸、パルミチン酸、ステアリン酸、アラキジン酸、又はベヘン酸である。好ましい固体脂肪アルコールは、少なくとも１２個の炭素原子を有する直鎖、不飽和の１−アルカノールである。固体脂肪アルコールの例は、ラウリルアルコール、ミリスチルアルコール、セチルアルコール、ステアリルアルコール、アラキジルアルコール、又はベヘニルアルコールである。
【００６２】
固体脂肪石鹸は、脂肪酸の金属塩である金属石鹸である。脂肪石鹸の脂肪酸構成成分は、上述のものと同じである。好適な金属カチオンは、ナトリウム、カリウム、リチウム、アルミニウム、マグネシウム、カルシウム、マンガン、鉄、ジルコニウム、セリウム、亜鉛、コバルト、又はバナジウムである。低い水溶性を有する金属石鹸、例えば、カルシウム塩又はマグネシウム塩、例えば、ステアリン酸カルシウムなどが好ましい。
【００６３】
代表的な組成物
第１の液体構成成分は、メトキシイソプロパノール、プロピルエーテル、ジプロピレングリコールブチルエーテル、メチルプロパンジオール、プロピレンカーボネート、エチレングリコール、ジエチレングリコール、プロピレングリコール、ジプロピレングリコール、グリセリン、ソルビトール、水素添加デンプン加水分解物、シリコーングリコール、あるいは本明細書において記載される、上述の又は例示された、ポリエチレングリコール又は誘導体、ポリプロピレングリコール又は誘導体、ポリエチレングリコール誘導界面活性剤、ポリプロピレン誘導界面活性剤、エチレングリコール又は誘導体、プロピレングリコール又は誘導体、ジエチレングリコール又は誘導体、及びジプロピレングリコール又は誘導体のいずれか、からなる群から選択される１つ以上の化合物を含んでもよい。
【００６４】
第２の固体構成成分は、例えば、固体ポリエチレングリコール又はこれらの誘導体；固体ポリプロピレングリコール又はこれらの誘導体；少なくとも１０のＨＬＢ値を有する固体非イオン性界面活性剤；固体脂肪酸、固体脂肪石鹸及び固体脂肪族アルコールからなる群から選択される固体脂肪族化合物；固体ＰＥＧ誘導界面活性剤；固体ＰＰＧ誘導界面活性剤；エトキシル化天然脂肪又はプロポキシル化天然脂肪、例えばＰＥＧ−１５０ホホバ、を含む群の、１つ以上の固体化合物（先に定義される）を含み得る。
【００６５】
代表的なローション組成物は、この第１液体構成成分が、液体ポリエチレングリコールを含み、この第２構成成分が、少なくとも１０のＨＬＢ値を有する固体非イオン性界面活性剤を含んでもよいが、ただしこの固体非イオン性界面活性剤が、アルコキシル化（例えば、エトキシル化）脂肪族アルコールである場合、ＨＬＢ値は少なくとも１３である、又は、この第１構成成分が、少なくとも１つの脂肪酸単位及び少なくとも１つのエチレングリコール単位を含む液体脂肪酸エステルを含み、この第２構成成分が固体ポリエチレングリコールを含んでもよい、又は、この第１構成成分が液体ポリエチレングリコールを含み、この第２化合物が、固体脂肪酸、及び固体脂肪石鹸、及び固体脂肪族アルコールからなる群から選択される、固体脂肪族化合物であるようなものであり得る。
【００６６】
好ましくは、この固体脂肪族化合物が固体脂肪酸を含む場合、液体の総量は固体の総量よりも多い。
【００６７】
一実施形態では、液体構成成分は、１００〜７２０未満、好ましくは３５０〜７００の分子量（重量平均）を有するポリエチレングリコールである。ローション組成物が、２０重量％〜８０重量％、又は３０重量％〜７０重量％、又は４０重量％〜６０重量％の、この液体ポリエチレングリコールを含むことが好ましいことがある。例えば、ポリグリコール４００とも称される、４００の分子量を有する５０重量％のポリエチレングリコールである。
【００６８】
一実施形態では、固体構成成分は、適切な場合、７２０超、例えば７２０〜１０００００、又は９５０〜３００００、又は３０００〜２００００若しくは〜１００００の分子量（重量平均）を有するポリエチレングリコール又は誘導体である。ローション組成物が、２０重量％〜８０重量％、又は３０重量％〜７０重量％、又は４０重量％〜６０重量％のこの液体ポリエチレングリコール、例えば５０重量％のポリグリコール（Polyglycol）４０００を含むことが好ましいことがある。一実施形態では、固体構成成分は、固体非イオン性界面活性剤、好ましくは一般式Ｒ（ＯＣＨ２ＣＨ２）ｎＯＨを有する固体ポリエチレングリコール脂肪アルコールエーテルであり、式中、Ｒは、例えば８〜３０個、又は１２〜２２個の炭素原子を有するアルキル基又はアルキル基のブレンドを表し、ｎはエトキシル化度、例えば２〜２００である。ローション組成物が、２０重量％〜８０重量％、又は３０重量％〜７０重量％、又は４０重量％〜６０重量％のこの液体ポリエチレングリコール、例えば５０重量％のステアレス−１００を含むことが好ましいことがある。
【００６９】
粒子状物質
一実施形態では、ローション組成物は、糞便又は経血の皮膚への付着を更に軽減するために、少なくとも１つの粒子状物質を追加的に含む。粒子状物質は、吸収性物品上に適用する間、粒子状である。また粒子状物質は、皮膚に接触しているとき、及び／又は尿、経血若しくは排泄物に接触しているとき、粒子状のままである。したがって、粒子状物質は非水溶性であり、上に記載のように、ローション組成物のプロセス温度を超える融解温度を有する。
【００７０】
粒子状物質は、１ナノメートル〜２ｍｍ、好ましくは１ナノメートル〜５００マイクロメートル、更に好ましくは０．１マイクロメートル〜２ｍｍ、更になお好ましくは５０ナノメートル〜１マイクロメートル、又は本明細書に説明される任意の範囲内における、任意の範囲又は個々の値の、平均粒径を有してよい。好ましくは、最小平均粒径は、少なくとも０．１マイクロメートル又は好ましくは少なくとも１マイクロメートル、又は好ましくは少なくとも１０マイクロメートル、又は更に好ましくは少なくとも２０マイクロメートル、及び好ましくは最大約５００マイクロメートル、又は一部の実施形態においては最大約１００マイクロメートル、またその他の実施形態においては最大約３０マイクロメートルである。一実施形態では、適用されるローション組成物、及び／又は適用されたコーティングが、粒子全体の２５％未満が１００マイクロメートルを超える等価直径を有する粒子を含むことが好ましいことがある。別の実施形態では、適用されるローション組成物、及び／又は適用されたコーティングが、粒子全体の２５％未満が５マイクロメートル未満の等価直径を有する粒子を含むことが好ましいことがある。更に別の実施形態では、適用されるローション組成物、及び／又は適用されたコーティングが、粒子全体の２５％未満が１００マイクロメートル未満の等価直径を有する粒子を含むことが好ましいことがある。
【００７１】
粒子物質は、（ローション組成物の）０．０５重量％〜２５重量％、好ましくは０．０５重量％〜１５重量％、更に好ましくは０．０５重量％〜５重量％、又は０．１重量％〜２５重量％、又は更に好ましくは０．２５重量％〜２０重量％の濃度であるが典型的には０．５重量％〜１０重量％、又は更に最大５重量％の濃度でローション組成物中に存在してもよい。
【００７２】
好適には、粒子は、約０．５グラム／ｃｍ３〜約２．５グラム／ｃｍ３の密度を有してもよい。好ましくは、密度は、約０．５グラム／ｃｍ３〜約２．０グラム／ｃｍ３、更に好ましくは０．８グラム／ｃｍ３〜約１．５グラム／ｃｍ３である。一実施形態において、好ましくは、密度は、粒子の沈殿を最小限に抑えるように約１グラム／ｃｍ３未満であり、また密度は、粒子の浮揚を最小限に抑えるように約０．８グラム／ｃｍ３より大きい。
【００７３】
一実施形態において、ローション組成物は、アルミナケイ酸塩、ケイ酸塩、シリカ、雲母、及び／又はタルクを含む、無機粒子を含んでもよい。また、粘土も使用してもよい。しかしながら、本発明において、粒子状物質は有機材料であることが好ましい可能性がある。好ましくは、粒子は、非活性及び／又は非反応性材料である。粒子は、多孔質であっても非多孔質であってもよい。粒子は、いずれの形状を有してもよいが、好ましくは平滑面を有し、球形状又は板状の粒子であるのが好ましい。粒子は、表面又はその一部上に、コーティング剤、例えば界面活性剤を含んで、例えば親水性など、その特性を変更してもよい。特に、粒子がオレフィン（oleofinic）である場合、粒子は、粒子の製造中に添加される溶融添加剤を含んでもよい。
【００７４】
好適な材料としては以下のものが挙げられるが、これらに限定されない：ポリスチレン粒子、ポリプロピレン及び／又はポリエチレン（コ）ポリマー粒子、ポリテトラフルオロエチレン粒子、ポリメチルシルセスキオキサン粒子、ナイロン粒子。好適な市販の粒子状物質としては、以下のものが挙げられるが、これらに限定されない：ニュージャージー州モリスタウン（Morristown）のハニーウェル・インターナショナル（Honeywell International）から商標名アキュミスト（ACUMIST）として入手可能なポリエチレン粒子；ニュージャージー州サウス・プレーンフィールド（South Plainfield）のコボ（KOBO）からＢＰＡとして入手可能なポリメチルメタクリレート粒子（微小球）；コボからＢＰＤとして入手可能なラクトンクロスポリマー粒子（微小球）；コボからナイロンＳＰ（NYLON SP）として入手可能なナイロン１２粒子（微小球）；コボからトスパール（TOSPEARL）として入手可能なポリメチルシルセスキオキサン粒子（微小球）；コボからセロビーズ（CELLO-BEADS）として入手可能なセルロース粒子（微小球）；ニューヨーク州タリータウン（Tarrytown）のマイクロ・パウダーズ社（Micro Powders, Inc.）からマイクロスリップ（MICROSLIP）として入手可能なポリテトラフルオロエチレン粉末；マイクロ・パウダーズからマイクロケア（MICROCARE）として入手可能な天然ワックスと微紛化ポリマーとのブレンド；及びジョージア州デュルス（Duluth）のエキスパンセル社（Expancel, Inc.）からエキスパンセル（EXPANCEL）として入手可能な塩化ビニリデンと、アクリロニトリルと、メチルメタクリレートとのコポリマーの粒子。例えばマイクロ・パウダーズ（Micro Powders）からマイクロイーズ（MICROEASE）として入手可能な微紛化ワックスもまた組み込まれ得る。好ましいのは、テキサス州ヒューストン（Houston, TX）のイクイスター・ケミカル社（Equistar Chemical Corp.）からマイクロセン（MICROTHENE）として入手可能なポリオレフィン粒子（粉末）である。特に好ましいのは、イクイスター（Equistar）からのマイクロセン（MICROTHENE）ＦＮ５１０−００である。
【００７５】
本発明のカフ
本発明は、少なくとも３ｋＰａ（３０ｍｂａｒ）の静水頭部、及び／若しくは少なくとも６００秒の裏抜け時間を有する１つ以上のカフを有する吸収性物品を提供するか、又はこの１つ以上のカフは、少なくとも３ｋＰａ（３０ｍｂａｒ）の静水頭部、及び／若しくは少なくとも６００秒の裏抜け時間を有する材料を含む。本明細書で述べるカフは、アナルカフ、バリアカフ、又はレッグカフであり得る。物品は、１つを超えるカフ、又はこのようなカフの組み合わせを含み得る。一実施形態では、物品は、一対のバリアカフ及び／又は一対のレッグカフを含み、これは、本明細書において記載される静水頭部の値、及び／又は裏抜け値を有する（又は有する材料を含む）。
【００７６】
本明細書で使用するとき、「バリアカフ」とは、流体に対する障壁を形成するように設計されるカフを指し、例えば、このようなカフを通過する流体を阻止、又は流体の量を低減する。典型的には、物品は、一対のバリアカフを含み、この対の各カフは、吸収性コアの長手方向縁部に沿って位置付けられる。
【００７７】
本明細書で使用されるレッグカフは、典型的には物品の長手方向側縁部に沿って含まれ、即ち、物品は、各長手方向側縁部に沿って少なくとも１つのレッグカフを有し、使用中、ユーザーの脚と接触することになる。
【００７８】
好適なカフは概して、例えば、米国特許第３，８６０，００３号、米国特許第４，８０８，１７８号及び同第４，９０９号；米国特許第４，６９５，２７８号、並びに同第４，７９５，４５４号に記載される。カフは、また、不織布材料から作製されてもよく、これらは、好ましくは疎水性である。
【００７９】
一実施形態では、本発明による吸収性物品は、一対のバリアカフを含む。
【００８０】
吸収性物品は、レッグカフを追加的に含んでもよい。
【００８１】
本発明の物品のカフ（１つ又は複数）は、本明細書において記載される不織布材料（またカフ材料とも称される）を含み、その結果、例えば、カフの表面積の少なくとも４０％、又は少なくとも６０、又は少なくとも８０、又は１００％が、この不織布材料を含み得る。この不織布材料は、１つ以上の不織布ウェブを含み得る。各ウェブは、１つ以上の不織布層、例えば、少なくとも２つ、又は少なくとも３つ、又は少なくとも４つ、又は少なくとも５つの不織布層を含み得る。一実施形態では、各ウェブは、５つの不織布層からなる。一実施形態では、カフは１つの不織布ウェブを含む。
【００８２】
層は、スパンボンド不織布層（Ｓ）、メルトブローン不織布層（Ｍ）、又はナノ繊維不織布層（Ｎ）であり得る。一実施形態では、カフ材料の、少なくとも皮膚に面する表面、及び／又は少なくとも外側表面が、スパンボンドウェブを含む。少なくとも１つ以上のメルトブローン、又はナノ繊維層が、ウェブ中に存在することが好ましい場合がある。理論に束縛されるものではないが、メルトブローン層は、良好な、坪量当たりの適用範囲、及び疎水性のために、カフ材料のバリア特性を向上させるものと考えられる。これらの特性は、ナノ繊維では、メルトブローン繊維と比較して、より小さい繊維寸法のために、より顕著であり得る。
【００８３】
別の実施形態では、ウェブは、少なくとも３つ、又は少なくとも４つ、又は少なくとも５つの不織布層を含み、そのうちの少なくとも２つはスパンボンド不織布層である。
【００８４】
一実施形態では、少なくとも３つの不織布層を含むウェブにおいて、最も外側の層がスパンボンドであり、残りの不織布層は、メルトブローン、若しくはナノ繊維不織布層のいずれか、又はこれらの組み合わせであってよい。このような順序の例は、ＳＭＳ、ＳＭＭＳ、ＳＭＭＭＳ、ＳＮＳ、又はＳＭＮＭＳである。
【００８５】
本明細書で示される坪量は、カフ材料、不織布ウェブ、又は不織布層それぞれの、単位面積当たりの重量の値である。カフ材料が、任意のコーティングを含む場合、本明細書において示される坪量は、コーティングの重量を含む（例えば、本明細書で記載される、疎水性表面コーティング）。
【００８６】
不織布メルトブローン層の坪量は、少なくとも１ｇ／ｍ２、又は少なくとも１．５ｇ／ｍ２、又は少なくとも２ｇ／ｍ２、例えば２．５ｇ／ｍ2であってもよく、一実施形態では、カフ材料に含まれるあらゆる不織布メルトブローン層の坪量の合計は、少なくとも５ｇ／ｍ２、又は少なくとも７ｇ／ｍ２、例えば７．５ｇ／ｍ２までに相当する。不織布メルトブローン層の坪量が、２０ｇ／ｍ２又は１５ｇ／ｍ２未満であることが好ましい場合がある。
【００８７】
不織布ナノ繊維層の坪量は、少なくとも１ｇ／ｍ２、又は少なくとも１．５ｇ／ｍ２、又は少なくとも２ｇ／ｍ２、例えば２．５ｇ／ｍ２であり得る。不織布ナノ繊維層の坪量が、２０ｇ／ｍ２又は１５ｇ／ｍ２未満であることが好ましい場合がある。
【００８８】
不織布スパンボンド層の坪量は、少なくとも３ｇ／ｍ２、又は少なくとも５ｇ／ｍ２、又は少なくとも７ｇ／ｍ２、例えば７．３ｇ／ｍ２であり得、一実施形態では、カフ材料に含まれるあらゆる不織布スパンボンド層の坪量の合計は、少なくとも１０ｇ／ｍ２、又は少なくとも１２ｇ／ｍ２、又は少なくとも１４ｇ／ｍ２、例えば１４．６ｇ／ｍ２にまで相当する。不織布スパンボンド層の坪量が、４０ｇ／ｍ２又は３０ｇ／ｍ２未満であることが好ましい場合がある。
【００８９】
一実施形態では、１つ以上の不織布層を含む不織布ウェブの坪量は、少なくとも１９ｇ／ｍ２、又は少なくとも２１ｇ／ｍ２、又は少なくとも２２ｇ／ｍ２、例えば２２．１ｇ／ｍ２であり得る。この不織布ウェブの坪量が、８０ｇ／ｍ２又は６０ｇ／ｍ２未満であることが好ましい場合がある。
【００９０】
一実施形態では、不織布ウェブは、１．０マイクロメートル以下、又は０．８マイクロメートル以下、又は０．６マイクロメートル以下の平均直径を有し得る、ナノ繊維を含む。不織布ウェブは、少なくとも１つの不織布層を含み、その少なくとも１つ以上、又は各不織布層が、このようなナノ繊維を含み得る。この不織布ウェブは、例えば、少なくとも２ｇ／ｍ２のナノ繊維、又は少なくとも３ｇ／ｍ２、又は少なくとも５ｇ／ｍ２のナノ繊維を含み得る。ナノ繊維は、米国特許第６，３１５，８０６号及び米国特許第６，６９５，９９２号に記載されているように、既知のメルトフィブリル化法又はメルトフィルムフィブリル化法により作製できる。好ましいナノ繊維ウェブ及びナノ繊維層は、同時係属出願の国際特許公開第２００５／１０３３５５号に記載されている。
【００９１】
カフ又はカフ材料は、典型的には、少なくとも３ｋＰａ（３０ｍｂａｒ）、又は少なくとも３．５ｋＰａ（３５ｍｂａｒ）、又は少なくとも３．８ｋＰａ（３８ｍｂａｒ）、又は任意に少なくとも４ｋＰａ（４０ｍｂａｒ）の、本明細書において記載されるように決定される、静水頭部の値を有する。
【００９２】
カフ又はカフ材料は、少なくとも６００秒、又は少なくとも８００秒、又は更に少なくとも１０００秒の、本明細書において記載される方法によって決定される、低表面張力裏抜け値（low surface tension strike through value）を、追加的に、又は代替的に有してもよい。
【００９３】
材料が、別の材料に取り付けられた弾性材料又は縁部を含む領域を除いた、材料のどの部分においても、上記の静水頭部及び／又は低表面張力裏抜け値を有する場合に、材料がこれらの値を有するものと考えられ、即ち、測定は、弾性材料、又は任意の別の材料を含まない試料で行われる。ローション（例えば、本発明の親水性ローション）を含む実施形態では、このローションを含む領域も、同様に除外される。一実施形態では、本明細書において記載されるカフ材料を含む１つ以上のカフは、少なくとも２．５ｃｍ×２．５ｃｍの、弾性材料又は他の任意の材料を含まない表面を有する。
【００９４】
カフ又はカフ材料は、ワックスなどの疎水性剤を更に含んでもよい。
【００９５】
カフ材料、又はカフ材料に含まれる１つ以上のウェブは、以下に記載されるように疎水性表面コーティングとも称される障壁剤を含んでもよい。
【００９６】
上記のように、本明細書における好ましいカフは、疎水性材料で作製され、及び／又は、例えば疎水性表面コーティング（ＨＳＣ）で疎水性になるように処理される。好ましい疎水性表面コーティングは、例えば同時係属中の米国特許出願第６０／５４３，７８５号（２００４年２月１１日出願）に記載されている。好ましくは、疎水性表面コーティング又はマスキング促進剤は、１つ以上のシリコーンポリマー及び／又はフッ素化ポリマーを含む。好適なシリコーンポリマーは、例えば、シリコーンＭＱ樹脂、ポリジメチルシロキサン（polydimethysiloxanes）、架橋シリコーン、シリコーン液体エラストマー、及びこれらの組み合わせからなる群から選択される。典型的には、このようなシリコーンポリマーの分子量（ＭＷ）の重量平均は、少なくとも約４０００ＭＷ、好ましくは少なくとも約１０，０００ＭＷ、より好ましくは少なくとも約１５，０００ＭＷ、更により好ましくは少なくとも約２０，０００ＭＷ、最も好ましくは少なくとも約２５，０００ＭＷであるべきである。好ましいポリジメチルシロキサンは、ビニル末端ポリジメチルシロキサン（vinyl-terminated polydimethsiloxanes）、メチルヒドロゲンジメチルシロキサン、ヒドロキシル末端ポリジメチルシロキサン（hydroxyl-terminated polydimethysiloxanes）、有機変性ポリジメチルシロキサン、及びこれらの組み合わせからなる群から選択される。好適なフッ素化ポリマーは、テトラフルオロエチレン及び／又はペルフルオロ化アルキル鎖を含有するテロマー及びポリマーからなる群から選択される。例えば、デュポン（Dupont）から商品名ゾニル（Zonyl）（登録商標）として市販されるフッ素化界面活性剤は、本明細書に用いるのに好適である。特に、ゾニル（Zonyl）（登録商標）３２１、３２９、８７４０、９０２７、及び９３６０は、本発明に用いるのによく適している。それに加えて、マイクロパウダーのようなフッ素系添加物（fluroadditives）を含む他のゾニル（Zonyl）（登録商標）材料が、本明細書において有用であり得る。これらとしては、ゾニル（Zonyl）（登録商標）ＭＰ１１００、ＭＰ１２００、ＭＰ１４００、ＭＰ１５００Ｊ、ＭＰ１６００Ｎ、ＴＥ−３６６７Ｎ（これは水分散性である）が挙げられるが、これらに限定されない。好ましくは、コーティングは、アミノシリコーンを含まない。
【００９７】
これらの材料は、好ましくは、少なくとも約０．０１ｇｓｍ（材料（グラム）／トップシート（平方メートル））から、より好ましくは少なくとも約０．０５ｇｓｍから、及び最も好ましくは少なくとも約０．１ｇｓｍからの量で、カフ（１つ又は複数）上に堆積する。
【００９８】
吸収性物品
本発明は、おむつ、成人用失禁物品、生理用ナプキンなどの、任意の吸収性物品に言及する。以下では、吸収性物品の一実施形態として、おむつが記載される。しかしながら、当業者が認識するように、本明細書で以下に記載される構成要素、及び材料の大部分は、パンツ様おむつなどの他の吸収性物品にも適用可能である。
【００９９】
本明細書において好ましい吸収性物品は、長手方向軸及び横断方向軸を有するおむつである。おむつは更に、内側の、身体に面する表面、及び内側表面とは反対側の、外側の、衣類に面する表面を有する。
【０１００】
おむつの一方の末端部は、おむつの前側腰部区域として構成される。反対側の末端部は、おむつの後側腰部区域として構成される。おむつの中間部分は、股部区域として構成され、これは、前側腰部区域と後側腰部区域との間で、長手方向に延びる。股部区域は、おむつが着用された際に、一般的に、着用者の脚の間に位置付けられる、おむつの部分である。
【０１０１】
おむつのシャーシは、おむつの本体を構成する。シャーシは、液体透過性トップシート、及びバックシートを含む。シャーシは、トップシートとバックシートとの間に入れられた、吸収性コアを更に含む。シャーシは、シャーシの横断方向外側縁部と、長手方向縁部及び端縁部とによって画定される、周辺部を有する。
【０１０２】
典型的には、吸収性物品は、吸収性物品の長手方向側縁部、又はその一部分に沿って長手方向に延びる、１つ以上のカフを含む。これらのカフの１つ以上が、本明細書において記載される本発明によるカフ（１つ又は複数）であり得る。カフ（１つ又は複数）は、典型的には、このカフの一方の長手方向縁部で、この吸収性物品に取り付けられ、したがって、物品のＸ−Ｙ平面（長手方向／横断方向）外、即ちＺ軸方向に位置付けられ得る、自由な長手方向縁部を有する。カフは、典型的には、物品のＹ軸において、互いに鏡像である。
【０１０３】
一実施形態では、これらの１つ以上のカフの一部は、本明細書において記載される親水性ローション組成物を含んでもよく、この部分は、カフ材料の８０％未満、又は６０％未満、又は４０％未満、又は更に２０％未満をなす。
【０１０４】
バックシートは、典型的には、当技術分野において既知の液体不透過性バックシートであってもよい。一実施形態では、液体不透過性バックシートは、約０．０１ｍｍ〜約０．０５ｍｍの厚さを有する、熱可塑性フィルムなどの、薄いプラスチックフィルムを含む。好適なバックシート材料は、典型的には通気性材料を含み、これは、蒸気を吸収性物品から逃す一方で、依然として排出物が、バックシートを通過することを阻む。好適なバックシートフィルムとしては、インディアナ州テレホート（Terre Haute）のトレデガー・インダストリーズ社（Tredegar Industries Inc）により製造され、商品名Ｘ１５３０６、Ｘ１０９６２、及びＸ１０９６４で販売されているものが挙げられる。バックシート又はその任意の部分は、１つ以上の方向に弾性的に延伸性であってもよい。
【０１０５】
トップシートは、柔軟で、柔らかな感触で、着用者の皮膚を刺激しないものであることが好ましい。更に、トップシートは液体透過性であって、液体（例えば、尿）をその厚さ全体に容易に浸透させる。好適なトップシートは、織布及び不織布材料、有孔成形熱可塑性フィルム、有孔プラスチックフィルム、及びハイドロフォーミングされた熱可塑性フィルムなどのポリマー材料、多孔質発泡体、網状発泡体、網状熱可塑性フィルム、並びに熱可塑性スクリムなどの広範囲の材料から製造され得る。好適な織布材料及び不織布材料は、天然繊維（例えば、木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせから作製することができる。トップシートは、好ましくは、トップシートを通過し、吸収性コアに収容された液体から着用者の皮膚を隔離するため（即ち、再湿潤を防ぐため）、疎水性材料で作製される。トップシートを疎水性材料で作製するならば、好ましくはトップシートの少なくとも身体に面する表面、又はその一部を親水性になるよう処理して、液体がトップシートを通ってより迅速に移動するようにする。これにより、身体排出物が、トップシートを通って引き込まれて吸収性コアに吸収されるよりもトップシートから流出する可能性が低減する。トップシートを界面活性剤で処理することによって、トップシートに親水性を持たせることができる。好ましい実施形態では、トップシートは、表面湿潤性の傾向を低減し、結果として、コアに吸収された尿を、濡れた後にユーザーの皮膚から離して維持することを容易にすることができる不織布ウェブである。
【０１０６】
バックシートは、本明細書のトップシート、並びに／又は本明細書のバリアカフ及び／若しくはレッグカフに、直接的に又は間接的に、取り付けられるか又は接合されてもよい。
【０１０７】
吸収性コアは、一般的に、トップシートとバックシートとの間に配置される。吸収性コアには、一般に圧縮可能で適合性があり、着用者の皮膚に刺激を与えず、尿及び他の体の排出物などの液体を吸収及び保持可能な吸収性材料を含有させてもよい。
【０１０８】
吸収性コアは、多種多様の大きさ及び形状（例えば、矩形、砂時計形、「Ｔ」字形状、非対称形など）で、一般にエアフェルトと呼ばれる粉砕木材パルプなど、使い捨ておむつ及び他の吸収性物品に通常使用されている多種多様の液体吸収性材料から製造され得る。他の好適な吸収性材料の例としては、縮みセルロース詰め物、コフォームを含むメルトブローンポリマー、架橋されたセルロースファイバー、ティッシュラップ及びティッシュラミネートを含むティッシュ、吸収性フォーム、吸収性スポンジ、超吸収性ポリマー、吸収性ゲル材料、又はあらゆる同等の材料若しくは材料の組み合わせが挙げられる。また、吸収性コアの構成及び構造は多様であってよく、例えば、吸収性コアは、様々なキャリパーゾーン、親水性勾配、超吸収性勾配、若しくはより低い平均密度及びより低い平均坪量獲得帯を有していてもよく、又は１つ以上の層若しくは構造を含んでもよい。しかしながら、吸収性コアの全体的な吸収能力は、おむつの設計負荷及び意図される用途に適合するべきである。更に、乳児から成人にまで及ぶ着用者に対応するように、吸収性コアの大きさ及び吸収能力を変更してもよい。
【０１０９】
本発明の吸収性物品のトップシートはまた、有孔であることもでき、即ち、トップシートは、少なくとも約０．２ｍｍ２の開口寸法を有する複数の開口部を有する。トップシートは、好ましくは、少なくとも約１０％の開口面積を有するが、開口面積とは、全ての開口部の合計である。
【０１１０】
一実施形態では、物品は、アナルカフ又はトップシートを含んでもよく、これは、糞便（又は経血）をこのトップシート又はカフの下部の空間に通過させるために十分大きな１つ以上の開口を有する。アナル又は膣カフは、本明細書において記載される、本発明によるカフであり得る。
【０１１１】
例えば、２００５年９月１３日出願の米国特許出願第２００６／００５８７６６（Ａ）号は、トップシートが、糞便物質を受容するように適合された少なくとも１つの開口部を備え、トップシート及びその開口部が、それぞれ前側区域及び後側区域を有する、吸収性物品を開示する。吸収性コアとトップシートとの間に空間が提供され、吸収性物品は、生殖器カバーシートを更に含み、これは、使用中に生殖器を覆い、これは、開口部のこの前側区域の、中、下、又は上に位置付けられる。更に好適な吸収性物品が、例えば、米国特許第６，４８２，１９１号、米国特許出願第２００４／００９２９０２（Ａ）号、米国特許出願第２００４／００９２９００（Ａ）号、米国特許出願第２００４／０１６２５３８（Ａ）号、及び米国特許出願第２００６／００５８７６５（Ａ）号に開示される。
【０１１２】
更に、吸収性物品は、当該技術分野において既知であるように、前側及び後側ウエストバンド、並びに／又は典型的にはウエストバンドに接合される締着装置を含んでもよい。好ましい締結装置は、締結タブ及びランディング領域を含み、締結タブは、おむつの後側領域に取り付けられ又は接合され、ランディング領域は、おむつの前側領域の一部分である。
【０１１３】
試験方法
水溶性
ローション組成物、又はローション組成物を配合するために使用される任意の化合物の水溶性は、以下のように決定される。１００ｍｇの初期量（ＳＡ）のローション組成物が、既知の重量のガラススライド（２．５ｃｍ×８ｃｍ）に、ローションがガラススライド上の２．５ｃｍ×５ｃｍの領域を被覆するようにして、適用される。スライドは次に、２０℃の脱イオン水７５ｍＬを含むビーカー内に、平らに設置される。その中のローション組成物を含む水は、攪拌されない。４時間後にガラススライドがビーカーから取り除かれ、水分を取り除くために、６０℃で、０％のＲＨ（相対湿度）のオーブン内に入れられる。乾燥後、これは、スライド上のローション組成物の残留量を測定するために、秤量される。乾燥後のプレート上のローション組成物の残留量（ＲＡ）が、（ガラススライドに適用された１００ｍｇの）６０％未満、より好ましくは２０％未満、及び更により好ましくは１０％未満である場合、本発明のローション組成物は、水溶性である。これらの値は、少なくとも４０％、より好ましくは少なくとも８０％、更により好ましくは少なくとも９０％の水溶性に対応し、これは、以下のように決定される。
［（ＳＡ−ＲＡ）］／ＳＡ×１００％＝水溶性（％）
【０１１４】
比較的に良好な水溶性を有するこのようなローション組成物は、本発明の意味において、親水性であるとみなされる。
【０１１５】
静水頭部（水頭）
本明細書において使用される静水頭部（水頭とも称される）は、脱イオン水（ＤＩ水）で測定される。
【０１１６】
この試験は、米国不織布協会（Inda）／欧州不織布協会（Edana）試験ＷＳＰ８０．６（０５）に従った、同時係属出願である国際公開第２００５／１１２８５４（Ａ）号に記載の通りに実施された。水圧は、ＤＩ水（７２ｍＮ／ｍ）を使用する試験において、毎分２ｋＰａ（２０ｍｂａｒ）の割合で増加する。
【０１１７】
５ｃｍ２の試料が、カフ又はカフ材料から取られる。試料は、弾性材料又は他の材料に結合された縁部を含んではならない。
【０１１８】
使用した試験水頭の直径は２．５ｃｍであり、使用した保護スリーブの直径は２．２ｃｍである。
【０１１９】
低い表面張力の裏抜け値法（Low surface tension Strike Through value method）
本明細書で言及される低い表面張力の裏抜け値は、表面張力の低い液体（以下を参照のこと）を使用し、２５ｍｍ×２５ｍｍ（１インチ×１インチ）の試料を使用してもよいことを除いては、欧州不織布協会（Edana）の方法ＷＳＰ７０．３（０５）により得ることができる。試料は、弾性材料又は他の材料に結合された縁部を含んではならない。
【０１２０】
この試料測定で得た値が本明細書で報告される。
【０１２１】
低表面張力の液体は、以下のように調製される４９ｍＮ／ｍの表面張力を有する液体である：
４９ｍＮ／ｍ（ダイン／ｃｍ）液体調製：
栓の付いた１０リットルのキャニスタを、２リットルのポリエチレンで３回、次いで２リットルの蒸留された／脱イオン水で３回、よく洗浄する。
【０１２２】
次に、１０リットルの蒸留された／脱イオン水を充填し、清浄な撹拌子で２時間撹拌し、その後栓を介して水を除く。
【０１２３】
５リットルのグラスを水で６回、次に蒸留された／脱イオン水で６回洗浄する。
【０１２４】
次に、コール酸ナトリウム３０．００ｇと５リットルの蒸留された／脱イオン水とを、洗浄した５リットルのグラス内に入れる。（コール酸ナトリウムのＴＬＣ純度は９９％超でなくてはならず、例えばカルビオケム（Calbiochem）、カタログ番号２２９１０１より供給される。）これを清浄な撹拌子で、コール酸ナトリウムが明らかに溶解するまで約５分間撹拌する。
【０１２５】
撹拌子を磁気スティックで（溶液に触れずに）グラスから取り除き、次にコール酸ナトリウム溶液を１０リットルのキャニスタの中に流し込み、最終溶液の濃度が３ｇ／Ｌとなるように更なる蒸留された／脱イオン水を加える。これを撹拌子で更に２時間撹拌して使用する。
【０１２６】
この溶液の調製は、２０℃で実行される。
【０１２７】
溶液の表面張力を測定するが、これは４９ｍＮ／ｍ（＋／−２）であるべきである。（表面張力は、クリュス（Kruss）Ｋ１２張力計を使用して、ＡＳＴＭ  Ｄ１３３１−５６（界面活性剤溶液の表面張力及び界面張力の標準試験法（Standard test method for surface and interfacial tension of solution of surface active agents）により測定することができる。）
【０１２８】
清浄なフラスコ内の５００ｍＬの蒸留水（すでにフラスコに入っている）に２．１００グラムのトリトン（Triton）−Ｘ−１００を加え、次に５０００ｍＬの蒸留水を加える。溶液を３０分間混合した後、表面張力を測定するが、これは３２ｍＮ／ｍであるべきである。
【０１２９】
（表面張力は、クリュス（Kruss）Ｋ−１２張力計を使用して、ＡＳＴＭ  Ｄ１３３１−５６（界面活性剤溶液の表面張力及び界面張力の標準試験法（Standard test method for surface and interfacial tension of solution of surface active agents）により測定することができる。）
【０１３０】
本明細書に開示されている寸法及び値は、列挙した正確な数値に厳しく限定されるものとして理解すべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【０１３１】
「発明を実施するための形態」で引用した全ての文献は、その関連部分において本明細書に参照により組み込まれ、いかなる文献の引用も、それが本発明に対する先行技術であることを認めるものと解釈すべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【０１３２】
本発明の特定の諸実施形態を図示し、記載したが、本発明の趣旨及び範囲から逸脱することなく他の様々な変更及び修正を実施できることは当業者には自明であろう。したがって、本発明の範囲内にあるような全ての変更及び修正は、添付の特許請求の範囲に包含されるものとする。
【国際調査報告】
2010526630.tif 000002
2010526630.tif 000003
2010526630.tif 000004
2010526630.tif 000005
2010526630.tif 000006